(57)【要約】      （修正有）【課題】弦楽器の音質が向上するボディとネックの取り付け構造を提供する。【解決手段】取り付け構造は、弦楽器１のボディ１０とネック２０の取り付け構造２であって、ボディ１０は、ネック端部２１と係合するネック係合部１１を有する。ネック端部２１は、指板２０ａが設けられた面と反対側の面が、指板から離れる方向に膨出し、ネック係合部１１は、表面側から裏面側に膨出する湾曲形状の欠込みが形成されている。【選択図】図２
2019066852.tif 000002
【特許請求の範囲】
【請求項１】
弦楽器のボディとネックの取り付け構造であって、ボディは、ネック端部と係合するネック係合部を有し、ネック端部は、指板が設けられた面と反対側の面が、指板から離れる方向に膨出し、ネック係合部は、表面側から裏面側に膨出する湾曲形状の欠込みが形成されている取り付け構造。
【請求項２】
ネックの反対側の面は、指板の１２Ｆを示す位置からネック端部に向かって、ネックの厚み方向に徐々に膨出している請求項１に記載の取り付け構造。
【発明の詳細な説明】
【技術分野】
【０００１】本発明は、弦楽器のボディとネックの取り付け構造に関する。
【背景技術】
【０００２】従来の弦楽器のボルトオンジョイントは、ボディに結合する部分であるネック端部がフラットに形成されていた。
【先行技術文献】
【特許文献】
【０００３】
【特許文献１】特開２０１１−９５７４７号  公報
【発明の概要】
【発明が解決しようとする課題】
【０００４】従来の弦楽器より、音質を向上することを目的とする。
【課題を解決するための手段】
【０００５】弦楽器のボディとネックの取り付け構造であって、ボディは、ネック端部と係合するネック係合部を有し、ネック端部は、指板が設けられた面と反対側の面が、指板から離れる方向に膨出し、−ネック係合部は、表面側から裏面側に膨出する湾曲形状の欠込みが形成されている取り付け構造。【０００６】ネックの反対側の面は、指板の１２Ｆを示す位置からネック端部に向かって、ネックの厚み方向に徐々に膨出している請求項１に記載の取り付け構造。
【発明の効果】
【０００７】ネック端部をボディの湾曲形状に係合し、当接面積とネック端部の体積が増す事により、音質を向上することが可能になる。
【図面の簡単な説明】
【０００８】
【図１】本発明の実施形態に係る弦楽器のボディとネックの取り付け構造を説明する図である。
【図２】本発明の実施形態に係る弦楽器のボディとネックの取り付け構造の断面図である。
【図３】本発明の実施形態の変形例に係るネックを説明する図である。
【発明を実施するための形態】
【０００９】取り付け構造２は、弦楽器１のボディ１０とネック２０の取り付け構造２であって、ボディ１０は、ネック端部２１と係合するネック係合部１１を有し、ネック端部２１は、指板２０ａが設けられた面と反対側の面が、指板から離れる方向に膨出し、ネック係合部１１は、表面側から裏面側に膨出する湾曲形状の欠込みが形成されている。
【００１０】弦楽器２のネック２０を加工する段階でネック２０の握る部分を削ってネック２０を成形するが、ネック２０の削ってしまった部分をネック端部２１に集約させることで、ネック端部２１の体積が増す。それを湾曲形状にすることにより、ボディ１０により深く係合させることができる。
【００１１】湾曲形状によりネック端部２１の体積が増した分、ネック端部２１にあるトラスロッドを調節する際やその直前に必ず起こるハイ起きという現象を抑える役割を担う。
【００１２】ネック２０のナット部分とネック端部２１の下部を直線で結んだ時にネック端部２１が下方にあることにより、トラスロッド調節用の部品を回す時、ネック端部２１の体積が増していることでネック２０を調節しようとする力に耐えることができる。
【００１３】ネック端部２１が湾曲形状になっていることにより、ボディ１０との係合部により深く収めることができる。
【００１４】この構造によりネック２０とボディ１０の当接面積の拡大によりサスティーンが増し、ボルトを短くする事ができる。
【００１５】ボルトを短くすることができることにより、金属的な音から、温かみのあるサウンドを得ることができる。
【００１６】ネック２０とボディ１０の係合部の当接面積の拡大により、弦楽器にある巻弦の張力によるネック２０の前方移動を防止する。
【００１７】この構造は、ボルトがボディ１０を通してネック２０を留めるものである。
【００１８】ボディ１０がワッシャーの役割を持ち、ネック２０がナットの役割を有している。
【００１９】弦が張ってあるネック２０の鳴りが、音質を大きく左右する。
【００２０】ボディ１０を柔らかい素材で製作した場合、ネック２０の当接面積拡大によりボディ１０の鳴りが向上する。
【００２１】ネック端部２１の膨出している部分を、余りの同材質を使い万力で接着し、ネック２０と一体化させても効果を感じることが可能。
【００２２】ネック端部２１の下部をボディ１０により深く当接させることにより、ネック２０全体からボディ１０に伝わる振動を全体に行き渡るようにネック端部２１の下部を湾曲形状とする。
【００２３】図３を参照して、本実施形態のネックについて説明する。
通常、楽器を演奏する場合、１２Ｆよりも下の位置を強く握りこんでプレイすることがないという一般的なプレイヤーは、楽器を弾く左手の親指を裏側に添えるというクラシックスタイルを用いる。
【００２４】ネック２０の１２Ｆよりも下の位置のネック材の体積を１２Ｆ付近からスラントさせて増幅させるようにすると、無駄に伝わらない力を入れてプレイするよりも、ネック２０の１２Ｆから下の位置をプレイする際には非常に楽である。
【００２５】元来のトラディショナルなギターのボルトオン構造を用いているギターは、ハイポジションにゆくにつれて非常にストレスがあり、その改善策としてボディを薄く仕上げたり、ジョイント部分を滑らかに仕上げる事がよくある。しかし、そうしてしまうと、ネック端部２１が収まる部分やボルトが食い込んでいる付近を軸にした場合、明らかにボディ１０への響き自体の角が取れ、柔らかな音に変化してしまう。
【００２６】できるだけボディ１０の体積をネック２０の１２Ｆ付近からネック端部２１にかけてより強固にネック２０を仕上げることにより、音質へ与える影響、変化、また異なる木材をラミネイトさせているネック２０の音色がボディ１０にダイレクトに伝わる。
【００２７】硬い素材のネック２０を用いてピックアップが搭載されているボディ１０を鳴らす、という構造。
この構造によりボディ１０は良質な木材を使用しなければいけなくなるというリスクはあるが、悪い木材を使い楽器を製造する者などいるとは思えない。
【００２８】本実施形態のネック２０によれば、ボディ１０の鳴りを極力引き出すことが可能となる。
【００２９】ギターに愛着を持つ人々はネックに溺愛し依存している人が多いので、そのネック２０を永らく使用できるようにする元来にない改善策である。
【００３０】セットネック構造を用いている、いわゆるレスポールタイプのギターにも搭載する事ができ、尚且つレスポールとは異なるサウンドを構造上の違いから生み出す事ができる。
【００３１】ネック２０は弦が通ってる部分であり、その弦が張られているという事はネック２０に張力が発生する。その張力によりネック２０は若干順反りしているが、その発生の進行を極力最小限に抑える為にネック端部２１付近を強固にする必要がある。
【００３２】張力に耐えられるようにネックの反対側の面は、指板の１２Ｆを示す位置からネック端部２１に向かって、ネックの厚み方向に徐々に膨出しているネック２０の１２Ｆ裏側からスラントさせている事により、ハイ起きという現象を抑える役割を担う。
【００３３】ハイ起き現象が起こってしまう原因として、トラスロッドが原因ではないケースが一般的だが、未だに取り沙汰されていないケースとして、トラスロッドを過剰に回してしまうとネック２０内部に湾曲されて搭載されているトラスロッドが木材の中にある一般的には四角形の留め具が動き、ネック２０が破損する直前の状態としてネック端部２１の指板２０ａが盛り上がってしまう可能性がある。その時に、ネック端部２１を下部に湾曲させている事により、トラスロッドの湾曲した仕込み位置を若干ながら下部に移動し見直す事により、ネック２０の順反りや逆反りに対する解決策を見出す事ができる。
【００３４】湾曲されたネック端部２１から１２Ｆ下部まで直線、若しくはネック２０を横から見た場合にフラットになってる部分と滑らかに交わらせる事により、ネック２０の１２Ｆ下からネック端部２１がより強固になり体積が増し、弦の張力にネック２０が順反り、気候による木材の逆反りを防止する役割があると同時に、ネック２０の弦鳴りが強調されるばかりでなく、より深く湾曲して当接されているボルトオンジョイント構造によりバランスの良い楽器ができる。
【００３５】木材は湿度の変化や、単純に湿度のより水分を吸収したり、弾き手の汗などによりネック２０の含水率を上げてしまう可能性があるが、そのような場合は木材の強度が落ちて、ネック２０内部にある鉄製のトラスロッドが錆びて劣化してしまうケースがある。
【００３６】トラスロッドに熱入れをし、より強固なトラスロッドにした場合には、通常のトラスロッドの鉄芯とは違う強度が期待できる。
【００３７】ボディ１０バランスの最適化に寄与する構造である。
【００３８】ギターとベースには個々にスケールがあるので、その個体のスケールに合わせて１２Ｆ付近からネック端部２１に向かって同じ方法でアプローチする事ができる。
【００３９】ハイポジションでの弾きやすさにも寄与した構造であり、視覚感覚から意匠としても元来にないデザインが効果を生み出す。
【００４０】トラスロッドが単なる鉄芯ならば、より弾力性を増す為に熱入れを行うが、例えて言うならばスプリングがそうであり、熱入れをしたスプリングは弾力性があるが熱入れを行なっていないスプリングは弾力性がない。通常、縮んでいるスプリングを伸ばしたりする場合には熱入れは必要ないが、縮んでもいない伸び切ってもいないスプリングには必ず熱入れが行われているのが一般的である。
【符号の説明】
【００４１】１  弦楽器
２  取り付け構造
１０  ボディ
１１  ネック係合部
２０  ネック
２０ａ  指板
２１  ネック端部
【図１】
2019066852.tif 000003
【図２】
2019066852.tif 000004
【図３】
2019066852.tif 000005